(57)【要約】【課題】ドレンパンを垂直方向にスライドすることで、メンテナンス作業のスペースを小さくしながら、ドレンパンの内部の清掃作業性を良くでき、清掃時のドレン水の滴下を防止できる消音ボックス付送風機を提供すること。【解決手段】機体３の下部には、機体底開口部１８から流出するドレンを受けてドレン排水口２０から排出するドレンパン１９と、機体３下方に延出し、機体３とドレンパン１９を接続する板状のドレンパンベース２２とを設け、ドレンパン１９は、ドレンパンベース２２に沿って機体底面１７に対し垂直方向にスライドする構成としたことにより、メンテナンス作業のスペースを小さくしながら、ドレンパン１９の内部の清掃作業性を良くでき、清掃時のドレン水の滴下を防止できるという効果のある消音ボックス付送風機を提供できる。【選択図】図１
2010190437.tif 000002
【特許請求の範囲】
【請求項１】
機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を備え、羽根車を前記ケーシング吸込口近傍に固定したモーターにより駆動する消音ボックス付送風機であって、前記機体の底面にドレン流出用の機体底開口部を備え、前記機体の下部には、前記機体底開口部から流出するドレンを受けてドレン排水口から排出するドレンパンと、前記機体下方に延出し、前記機体とドレンパンを接続する板状のドレンパンベースとを設け、前記ドレンパンは、前記ドレンパンベースに沿って前記機体の底面に対し垂直方向にスライドする構成としたことを特徴とする消音ボックス付送風機。
【請求項２】
ドレンパンとドレンパンベースを接合する面は、お互いに平行に対面してスライド時に摺動する構成としたことを特徴とする請求項１記載の消音ボックス付送風機。
【請求項３】
ドレンパンベースとドレンパンの接合をねじ固定とする構成としたことを特徴とする請求項１または２記載の消音ボックス付送風機。
【請求項４】
ドレンパンベースとドレンパンの接合のねじ固定部のねじ貫通穴を長穴とする構成としたことを特徴とする請求項３記載の消音ボックス付送風機。
【請求項５】
ドレンパンベースと機体の接合をねじ固定とする構成としたことを特徴とする請求項１から４のいずれかに記載の消音ボックス付送風機。
【請求項６】
ドレンパンベースを２個とし、機体吸込口と機体吹出口を設けた機体のおのおのの面に固定し、ドレンパンは２個の前記ドレンパンベースの間に位置する構成としたことを特徴とする請求項１から５のいずれかに記載の消音ボックス付送風機。
【請求項７】
ドレンパンは天面を開放した箱状とし、ドレンパンベースに曲げを設け、前記ドレンパンの垂直方向の稜部の外側に前記ドレンパンベースの曲げ稜部を近接する構成としたことを特徴とする請求項１から６のいずれかに記載の消音ボックス付送風機。
【請求項８】
ドレンパンベース下端をドレンパン下端より突出する構成としたことを特徴とする請求項１から７のいずれかに記載の消音ボックス付送風機。
【請求項９】
ドレンパンベース下端に凸部を設け、凸部はドレンパン底面側に突出する構成としたことを特徴とする請求項１から８のいずれかに記載の消音ボックス付送風機。
【請求項１０】
ドレンパンベース下端に設置施工用穴を備える構成としたことを特徴とする請求項１から９のいずれかに記載の消音ボックス付送風機。
【発明の詳細な説明】
【技術分野】
【０００１】
本発明は、換気送風機器など消音ボックス内部に送風機を内蔵して使用される消音ボックス付送風機に関する。
【背景技術】
【０００２】
従来、この種の消音ボックス付送風機としては、機体の底面にレール状部材を固定し、レール状部材に沿ってドレンパンが機体の底面に対し水平方向にスライドするように嵌合したものが知られている（例えば、特許文献１参照）。
【０００３】
以下、その消音ボックス付送風機について、図８および図９を参照しながら説明する。
【０００４】
図８および図９に示すように、天井裏１０１に、機体吸込口１０２に吸込側ダクト１０３、機体吹出口１０４に吹出側ダクト１０５を接続して設置される箱状の機体１０６が設けられる。機体１０６の側面には、空気を吸い込む吸込側に機体吸込口１０２、空気を吹き出す吹出側に機体吹出口１０４が設けられている。機体１０６の内部には、ケーシング１０７とモーター１０８とケーシング吸込口１０９と羽根車１１０を有した遠心送風機１１１が備えられている。機体の底面１１２には、ドレン流出用の機体底開口部１１３を備え、機体底開口部１１３に対向してドレンパン１１４を配している。ドレンパン１１４にドレン排水口１１５を配置し、機体の底面１１２の機体底開口部１１３がない部分にレール状部材１１６が２本固定されている。レール状部材１１６に沿ってドレンパン１１４にガイド曲げ部１１７を設け、機体の底面１１２に対しドレンパン１１４が水平方向にスライドするように嵌合した構成となっている。
【０００５】
そして、遠心送風機１１１を運転すると、室内１１８の空気は、吸込側ダクト１０３を通って、ケーシング吸込口１０９に向かい、遠心送風機１１１を介して吹出側ダクト１０５を通過し、室外１１９に排気されている。機体１０６の一面に備えた点検用開口部１２０からメンテナンスするため、天井材１２１に天井点検口１２２を設けている。
【特許文献１】特開２００５−９８６５３号公報
【発明の開示】
【発明が解決しようとする課題】
【０００６】
このような従来の消音ボックス付送風機では、ドレンパン１１４を全て水平方向にスライドして引き出した後にドレンパン１１４全体の汚れが確認できる構成のため、点検用開口部１２０の前にドレンパン１１４の引き出し長さ分の広いスペースが必要であり、狭い天井裏１０１でのドレンパン１１４の内部の清掃作業が困難であるという課題がある。
【０００７】
また、ドレンパン１１４を引き出している間は、機体底開口部１１３が露出するため、機体底開口部１１３からのドレン水の滴下の可能性があるという課題がある。
【０００８】
また、点検用開口部１２０の前にドレンパン１１４の引き出し長さ分の広いスペースを確保するように機体１０６と天井点検口１２２の間の水平方向の距離を広く確保する必要があるため、天井点検口１２２から点検用開口部１２０を介した機体１０６内部のメンテナンス作業も困難となる。
【０００９】
なお、室内１１８高さを広く確保するため、近年は天井裏１０１を狭く設計する傾向であり、狭い天井裏１０１でのメンテナンス作業性は重要視されている。
【００１０】
本発明は、このような従来の課題を解決するものであり、ドレンパンを垂直方向にスライドすることで、メンテナンス作業のスペースを小さくしながら、ドレンパンの内部の清掃作業性を良くでき、清掃時のドレン水の滴下を防止できる消音ボックス付送風機を提供することを目的とする。
【課題を解決するための手段】
【００１１】
本発明の消音ボックス付送風機は、上記目的を達成するために、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を備え、羽根車を前記ケーシング吸込口近傍に固定したモーターにより駆動する消音ボックス付送風機であって、前記機体の底面にドレン流出用の機体底開口部を備え、前記機体の下部には、前記機体底開口部から流出するドレンを受けてドレン排水口から排出するドレンパンと、前記機体下方に延出し、前記機体とドレンパンを接続する板状のドレンパンベースとを設け、前記ドレンパンは、前記ドレンパンベースに沿って前記機体の底面に対し垂直方向にスライドする構成としたものである。
【００１２】
また、他の手段は、ドレンパンとドレンパンベースを接合する面は、お互いに平行に対面してスライド時に摺動する構成としたものである。
【００１３】
また、他の手段は、ドレンパンベースとドレンパンの接合をねじ固定とする構成としたものである。
【００１４】
また、他の手段は、ドレンパンベースとドレンパンの接合のねじ固定部のねじ貫通穴を長穴とする構成としたものである。
【００１５】
また、他の手段は、ドレンパンベースと機体の接合をねじ固定とする構成としたものである。
【００１６】
また、他の手段は、ドレンパンベースを２個とし、機体吸込口と機体吹出口を設けた機体のおのおのの面に固定し、ドレンパンは２個の前記ドレンパンベースの間に位置する構成としたものである。
【００１７】
また、他の手段は、ドレンパンは天面を開放した箱状とし、ドレンパンベースに曲げを設け、前記ドレンパンの垂直方向の稜部の外側に前記ドレンパンベースの曲げ稜部を近接する構成としたものである。
【００１８】
また、他の手段は、ドレンパンベース下端をドレンパン下端より突出する構成としたものである。
【００１９】
また、他の手段は、ドレンパンベース下端に凸部を設け、凸部はドレンパン底面側に突出する構成としたものである。
【００２０】
また、他の手段は、ドレンパンベース下端に設置施工用穴を備える構成としたものである。
【発明の効果】
【００２１】
本発明によれば、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を備え、羽根車を前記ケーシング吸込口近傍に固定したモーターにより駆動する消音ボックス付送風機であって、前記機体の底面にドレン流出用の機体底開口部を備え、前記機体の下部には、前記機体底開口部から流出するドレンを受けてドレン排水口から排出するドレンパンと、前記機体下方に延出し、前記機体とドレンパンを接続する板状のドレンパンベースとを設け、前記ドレンパンは、前記ドレンパンベースに沿って前記機体の底面に対し垂直方向にスライドする構成としたことにより、メンテナンス作業のスペースを小さくしながら、ドレンパンの内部の清掃作業性を良くでき、清掃時のドレン水の滴下を防止できるという効果のある消音ボックス付送風機を提供することができる。
【００２２】
また、ドレンパンとドレンパンベースを接合する面は、平行に対面してスライド時に摺動する構成としたことにより、メンテナンス作業のスペースを小さくしながら、ドレンパンの内部の清掃作業性を良くでき、清掃時のドレン水の滴下を防止できるという効果のある消音ボックス付送風機を提供することができる。
【００２３】
また、ドレンパンベースとドレンパンの接合をねじ固定とする構成としたことにより、メンテナンス作業のスペースを小さくしながら、ドレンパンの内部の清掃作業性を良くでき、清掃時のドレン水の滴下を防止できるという効果のある消音ボックス付送風機を提供することができる。
【００２４】
また、ドレンパンベースとドレンパンの接合のねじ固定部のねじ貫通穴を長穴とする構成としたことにより、メンテナンス作業のスペースを小さくしながら、ドレンパンの内部の清掃作業性を良くでき、ドレンパンの落下を防止できるという効果のある消音ボックス付送風機を提供することができる。
【００２５】
また、ドレンパンベースと機体の接合をねじ固定とする構成としたことにより、ドレンパンをドレンパンベースと共に機体から取り外して簡単にメンテナンスできるという効果のある消音ボックス付送風機を提供することができる。
【００２６】
また、ドレンパンベースを２個とし、機体吸込口と機体吹出口を設けた機体のおのおのの面に固定し、ドレンパンは２個の前記ドレンパンベースの間に位置する構成としたことにより、メンテナンス作業のスペースを小さくできるという効果のある消音ボックス付送風機を提供することができる。
【００２７】
また、ドレンパンは天面を開放した箱状とし、ドレンパンベースに曲げを設け、前記ドレンパンの垂直方向の稜部の外側に前記ドレンパンベースの曲げ稜部を近接する構成としたことにより、ドレンパンの変形を防止できるという効果のある消音ボックス付送風機を提供することができる。
【００２８】
また、ドレンパンベース下端をドレンパン下端より突出する構成としたことにより、ドレンパンの変形を防止できるという効果のある消音ボックス付送風機を提供することができる。
【００２９】
また、ドレンパンベース下端に凸部を設け、凸部はドレンパン底面側に突出する構成としたことにより、ドレンパンの落下を防止できるという効果のある消音ボックス付送風機を提供することができる。
【００３０】
また、ドレンパンベース下端に設置施工用穴を備える構成としたことにより、設置施工構造が簡単にできるという効果のある消音ボックス付送風機を提供することができる。
【発明を実施するための最良の形態】
【００３１】
本発明の請求項１記載の消音ボックス付送風機は、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を備え、羽根車を前記ケーシング吸込口近傍に固定したモーターにより駆動する消音ボックス付送風機であって、前記機体の底面にドレン流出用の機体底開口部を備え、前記機体の下部には、前記機体底開口部から流出するドレンを受けてドレン排水口から排出するドレンパンと、前記機体下方に延出し、前記機体とドレンパンを接続する板状のドレンパンベースとを設け、前記ドレンパンは、前記ドレンパンベースに沿って前記機体の底面に対し垂直方向にスライドする構成としたものであり、機体底開口部に対向してドレンパンを配しており、また前記ドレンパンは機体の底面に対し垂直方向にスライド可能としているため、メンテナンスでの前記ドレンパンのスライド時に前記機体の平面方向の飛び出しスペースが必要なく、前記ドレンパンのスライド後も前記機体底開口部から滴下するドレン水を受けることができるという作用を有する。
【００３２】
また、ドレンパンとドレンパンベースを接合する面は、平行に対面してスライド時に摺動する構成としたものであり、ドレンパンのスライド時に、ドレンパンベースが前記ドレンパンに平行であり干渉しない構造であるため、前記ドレンパンベースの取り外しを不要にでき、さらにスライド時に摺動しながらドレンパンを支えるため、ドレンパンの水平がドレンパンベースにて保たれ、メンテナンス作業時にドレンパンの向きの保持を不要にできるという作用を有する。
【００３３】
また、ドレンパンベースとドレンパンの接合をねじ固定とする構成としたものであり、ドレンパンベースとドレンパンの接合がねじ固定であるため、前記ドレンパンのスライド時に簡単にドレンパンの固定を解除できるという作用を有する。
【００３４】
また、ドレンパンベースとドレンパンの接合のねじ固定部のねじ貫通穴を長穴とする構成としたものであり、ドレンパンベースとドレンパンの接合のねじが長穴部内で移動するため、前記ドレンパンのスライド時に、ねじを取り外す必要なく緩める作業だけで前記ドレンパンを簡単にスライドでき、前記ドレンパンの自重を前記ドレンパンベースの接合ねじにて保持できるという作用を有する。
【００３５】
また、ドレンパンベースと機体の接合をねじ固定とする構成としたものであり、ドレンパンベースと機体の接合がねじ固定のため、前記ドレンパンベースにドレンパンを固定した状態で、ドレンパンベースを機体から取り外しできるという作用を有する。
【００３６】
また、ドレンパンベースを２個とし、機体吸込口と機体吹出口を設けた機体のおのおのの面に固定し、ドレンパンは２個の前記ドレンパンベースの間に位置する構成としたものであり、ドレンパンベースを対向した機体吸込口と機体吹出口の面に固定しているため、機体吸込口と機体吹出口の面以外の機体の一面側のみから２方向の前記ドレンパンベースとドレンパンの固定部を目視確認しながら作業できるという作用を有する。
【００３７】
また、ドレンパンは天面を開放した箱状とし、ドレンパンベースに曲げを設け、前記ドレンパンの垂直方向の稜部の外側に前記ドレンパンベースの曲げ稜部を近接する構成としたものであり、ドレンパンの稜部をドレンパンベースが覆っているため、前記ドレンパンベースにて前記ドレンパン稜部を保護できるという作用を有する。
【００３８】
また、ドレンパンベース下端をドレンパン下端より突出する構成としたものであり、ドレンパンの下端部よりドレンパンベースが突出しているため、前記ドレンパンベースにて前記ドレンパン底面を保護できるという作用を有する。
【００３９】
また、ドレンパンベース下端に凸部を設け、凸部はドレンパン底面側に突出する構成としたものであり、ドレンパンのスライド時に、前記ドレンパンがドレンパンベースの凸部に引っ掛かかるため、前記ドレンパンの自重を前記ドレンパンベースにて保持できるという作用を有する。
【００４０】
また、ドレンパンベース下端に設置施工用穴を備える構成としたものであり、ドレンパンベース下端の設置施工用穴にて施工できるため、設置施工のための別部品が不要とできるという作用を有する。
【００４１】
以下、本発明の実施の形態について、図面を参照しながら説明する。
【００４２】
（実施の形態１）
図１、図２および図３に示すように、本実施の形態による消音ボックス付送風機は、機体吸込口１と機体吹出口２を箱状の機体３の対向する側面に設けている。機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る風路８を有し、その風路８に遠心送風機９を備えている。本実施の形態では、機体３内に遠心送風機９を２台設けた構成としている。遠心送風機９は機体吹出口２に対向した吐出口１０と渦巻状のスクロール１１とケーシング吸込口１２を設けたケーシング側板１３を側面に備え、羽根車１４をケーシング吸込口１２近傍に固定したモーター１５により駆動する。モーター１５に対向する機体３の一面には、点検用開口部１６を備えている。機体底面１７には、ドレン流出用の機体底開口部１８を備えている。さらに、機体３の下部には、機体底開口部１８から流出するドレンを受けるドレンパン１９が設けられている。このドレンパン１９には、ドレンを排水するドレン排水口２０が開けられている。機体３側には、機体３の下方であるドレンパン底面２１側に延出し、機体３とドレンパン１９を接続する板状のドレンパンベース２２が設けられている。ドレンパン１９は、ドレンパンベース２２に沿って機体底面１７に対し垂直方向２３にスライドする構成とする。そして、ドレンパン１９のスライド後の位置は、ドレンパンメンテ位置２４まで下がり、ドレンパンメンテ口２５が開口することとなる。
【００４３】
また、ドレンパン１９とドレンパンベース２２を接合する面は、平行に対面してスライド時に摺動する構成とする。
【００４４】
また、ドレンパンベース２２とドレンパン１９の接合をドレンパン接合ねじ２６を用いたねじ固定として構成する。
【００４５】
また、ドレンパンベース２２とドレンパン１９の接合のねじ固定部のねじ貫通穴２７として、ドレンパンベース２２に長穴２８を設け、ドレンパン接合ねじ２６は長穴２８に貫通して構成する。
【００４６】
また、図４および図５に示すように、天井裏２９において機体吸込口１に吸込側ダクト４、機体吹出口２に吹出側ダクト６を接続して機体３は施工される。機体３は、吸込側に機体吸込口１、吹出側に機体吹出口２、機体３の内部に遠心送風機９を配している。そして、遠心送風機９を運転すると、室内３０の空気が吸込側ダクト４、遠心送風機９を介して吹出側ダクト６を通過し、室外３１に排気する。室内３０が厨房室であるなど高湿度な空気の場合、機体３内の水分は機体底開口部１８からドレンパン１９に向かって滴下して集められる。その後、ドレン排水口２０から屈曲自在なフレキドレンパイプ３２から機外へと排水される。天井裏２９と室内３０は天井材３３で仕切られ、天井材３３に機体３の点検用開口部１６側に天井点検口３４を備え、作業者３５が天井点検口３４から上半身を乗り出してメンテナンスできる状態である。
【００４７】
上記構成により、機体底開口部１８に対向してドレンパン１９を配しており、またドレンパン１９は機体底面１７に対し垂直方向にスライド可能としているため、メンテナンスでのドレンパン１９のスライド時に機体３の平面方向の飛び出しスペースが必要なく、ドレンパン１９のスライド後も機体底開口部１８から滴下するドレン水を受けることができる。
【００４８】
また、ドレンパン１９のスライド時に、ドレンパンベース２２がドレンパン１９に平行であり干渉しない構造であるため、ドレンパンベース２２の取り外しを不要にできる。さらに、ドレンパン１９の側面と、ドレンパンベース２２の面とは、面と面とが接触しており、スライド時に摺動しながらドレンパン１９を支えるため、ドレンパン１９の水平がドレンパンベース２２にて保たれ、メンテナンス作業時にドレンパン１９の向きの保持を不要にできる。
【００４９】
また、ドレンパンベース２２とドレンパン１９の接合がねじ固定であるため、ドレンパン１９のスライド時に簡単にドレンパン１９の固定を解除できる。
【００５０】
また、ドレンパンベース２２とドレンパン１９の接合のドレンパン接合ねじ２６を緩めると、ドレンパン接合ねじ２６が長穴２８の範囲内で自在に垂直移動するため、ドレンパン１９のスライド時に、ねじを取り外す必要なく緩める作業だけでドレンパン１９を簡単にスライドでき、ドレンパン１９の自重はドレンパンベース２２の長穴２８の下端にドレンパン接合ねじ２６が引っ掛かる状態で保持できる。
【００５１】
なおこの際、ドレンパン１９のスライド量が少なく、ドレンパンメンテ口２５の高さが比較的小さい場合であっても、作業者３５がドレンパンメンテ口２５からドレンパン１９の内部全体を水平方向に目視確認できることになる。そして、ドレンパン１９のスライド量が少ない場合、フレキドレンパイプ３２は屈曲自在であるため、ドレンパン１９のスライド時にドレン排水口２０からフレキドレンパイプ３２を取り外す必要がない。
【００５２】
このように本発明の実施の形態１の消音ボックス付送風機によれば、メンテナンス作業のスペースを小さくしながら、ドレンパン１９の内部の清掃作業性を良くでき、清掃時のドレン水の滴下を防止でき、ドレンパン１９の落下を防止できることとなる。
【００５３】
（実施の形態２）
図６に示すように、ドレンパンベース２２と機体３の接合をドレンパンベース接合ねじ３６を用いたねじ固定として構成する。
【００５４】
また、ドレンパンベース２２を２個とし、機体吸込口１と機体吹出口２を設けた機体３のおのおのの面に固定し、ドレンパン１９は２個のドレンパンベース２２の間に位置して構成する。
【００５５】
また、ドレンパン１９は天面を開放した箱状とし、ドレンパンベース２２に曲げを設け、ドレンパン１９の垂直方向の稜部３７の外側にドレンパンベース曲げ稜部３８を近接して構成する。
【００５６】
上記構成により、ドレンパンベース２２と機体３の接合がねじ固定のため、ドレンパンベース２２にドレンパン１９を固定した状態で、ドレンパンベース２２を機体３から取り外しできる。これは、ドレンパン１９自体を取り外すことで、大掛かりな清掃メンテナンスをしたり、ドレンパン１９の方向を１８０°変更してドレン排水口２０の向きを変更したりする等の作業を想定している。
【００５７】
また、ドレンパンベース２２を対向した機体吸込口１と機体吹出口２の面に固定しているため、機体吸込口１と機体吹出口２の面以外の機体３の一面側である点検用開口部１６の側から２方向のドレンパンベース２２とドレンパン１９の固定部を目視確認しながらドレンパン１９のスライド等の作業ができる。
【００５８】
また、ドレンパン１９の稜部３７をドレンパンベース２２が覆っているため、ドレンパンベース２２にてドレンパン１９の稜部３７を保護できる。
【００５９】
このように本発明の実施の形態２の消音ボックス付送風機によれば、メンテナンス作業のスペースを小さくしながら、ドレンパン１９をドレンパンベース２２と共に機体から取り外して簡単にメンテナンスもでき、ドレンパン１９の変形を防止できることとなる。
【００６０】
（実施の形態３）
図７に示すように、ドレンパンベース下端３９をドレンパン下端４０より突出して構成する。
【００６１】
また、ドレンパンベース下端３９に凸部４１を設け、凸部４１はドレンパン底面２１側に突出して構成する。
【００６２】
また、ドレンパンベース下端３９に設置施工用穴４２を備えて構成する。なお、消音ボックス付送風機は、一般に吊りボルト４３にて設置施工されるため、ドレンパンベース下端３９を折り曲げたドレンパンベース曲げ平面部４４に設置施工用穴４２を設けることが望ましい。
【００６３】
上記構成により、ドレンパン１９の下端部よりドレンパンベース２２が突出しているため、ドレンパンベース２２にてドレンパン底面２１を保護できる。
【００６４】
また、ドレンパン１９のスライド時に、ドレンパン１９がドレンパンベース２２の凸部４１に引っ掛かかるため、ドレンパン１９の自重をドレンパンベース２２にて保持できる。
【００６５】
また、ドレンパンベース下端３９の設置施工用穴４２にて施工できるため、設置施工のための別部品が不要とできる。
【００６６】
このように本発明の実施の形態３の消音ボックス付送風機によれば、ドレンパン１９の変形を防止でき、ドレンパン１９の落下を防止でき、設置施工構造が簡単にできることとなる。
【産業上の利用可能性】
【００６７】
換気送風機器、空気調和機、除湿機、加湿器、空気清浄機などの空気搬送目的以外に、機体吹出口からの送風を用いて設備機器の冷却をする場合に、ドレンパンのメンテナンス性が良く、コンパクトに設置できる設備機器の送風の用途にも適用できる。
【図面の簡単な説明】
【００６８】
【図１】本発明の実施の形態１の消音ボックス付送風機の側面構成図
【図２】同消音ボックス付送風機の正面構成図
【図３】同消音ボックス付送風機の平面構成図
【図４】同消音ボックス付送風機の設置状態を示す側面構成図
【図５】同消音ボックス付送風機の設置状態を示す正面構成図
【図６】本発明の実施の形態２の消音ボックス付送風機の側面構成図
【図７】本発明の実施の形態３の消音ボックス付送風機の側面構成図
【図８】従来の消音ボックス付送風機の平面構成図
【図９】同消音ボックス付送風機の設置状態を示す正面構成図
【符号の説明】
【００６９】
１    機体吸込口
２    機体吹出口
３    機体
９    遠心送風機
１０  吐出口
１１  スクロール
１２  ケーシング吸込口
１３  ケーシング側板
１４  羽根車
１５  モーター
１７  機体底面
１８  機体底開口部
１９  ドレンパン
２０  ドレン排水口
２１  ドレンパン底面
２２  ドレンパンベース
２３  垂直方向
２７  ねじ貫通穴
２８  長穴
３７  稜部
３８  ドレンパンベース曲げ稜部
３９  ドレンパンベース下端
４０  ドレンパン下端
４１  凸部
４２  設置施工用穴
【図１】
2010190437.tif 000003
【図２】
2010190437.tif 000004
【図３】
2010190437.tif 000005
【図４】
2010190437.tif 000006
【図５】
2010190437.tif 000007
【図６】
2010190437.tif 000008
【図７】
2010190437.tif 000009
【図８】
2010190437.tif 000010
【図９】
2010190437.tif 000011